(57)【要約】      （修正有）【課題】ラッチ機構により発生する振動や衝撃を抑制する。【解決手段】アクチュエータ固定機構１４０は、アクチュエータを退避位置に固定する第１の位置と、アクチュエータの退避位置から記録媒体上への移動を可能にする第２の位置とを、シャフト部１４３を回転中心として回動自在に設けられるアーム部１４２ａ、１４２ｂと、アーム部の回動を規制する規制部材と、を備える。シャフト部は、ベース１１０と対向する一面にベースから突出してアーム部の回転中心軸となるベースピン１１２が挿入されるピン挿入孔１４３ｂを有し、ベースと対向する一面と反対側の面に、ベースと反対側に向かって突出する突起部１４３ａを有しており、ベースピンとピン挿入孔内部の孔止め部１４３ｃとは１つの当接部で当接し、当接部および突起部の頂点は、アーム部の回転中心軸線上に位置し、ベースとシャフト部とは、アーム部の回転軸方向に所定の間隔を有して設けられる。【選択図】図５
2012104193.tif 000002
【特許請求の範囲】
【請求項１】
ディスク状の記録媒体にデータを記録再生するヘッドを前記記録媒体に対して回転移動させるアクチュエータを、非動作時に退避位置で固定するアクチュエータ固定機構であって、
前記アクチュエータの被係合部と係合部を係合させて前記アクチュエータを前記退避位置に固定する第１の位置と、前記アクチュエータの前記退避位置から前記記録媒体上への移動を可能にする第２の位置との間を、シャフト部を回転中心として回動自在に設けられるアーム部と、
前記アクチュエータの作動状態に応じて、前記アーム部の回動を規制する規制部材と、
を備え、
前記シャフト部は、
前記アクチュエータ固定機構が設けられるベースと対向する一面に、当該一面側が開口し、前記ベースから突出して前記アーム部の回転中心軸となるベースピンが挿入されるピン挿入孔を有し、
前記ベースと対向する一面と反対側の面に、前記ベースと反対側に向かって突出する突起部を有しており、
前記ベースピンと前記ピン挿入孔内部の孔止め部とは１つの当接部で当接し、
前記当接部および前記突起部の頂点は、前記アーム部の回転中心軸線上に位置し、
前記ベースと前記シャフト部とは、前記アーム部の回転軸方向に所定の間隔を有して設けられることを特徴とする、アクチュエータ固定機構。
【請求項２】
前記ベースピンと当接する前記ピン挿入孔内部の孔止め部は、前記ピン挿入孔の開口側に向かって突出して形成され、
前記孔止め部の頂点および前記突起部の頂点は、前記アーム部の回転中心軸線上に位置することを特徴とする、請求項１に記載のアクチュエータ固定機構。
【請求項３】
前記ピン挿入孔内部の孔止め部と当接する前記ベースピンの先端面は、前記孔止め部に向かって突出する形状に形成され、
前記ベースピンの先端面の頂点および前記突起部の頂点は、前記アーム部の回転中心軸線上に位置することを特徴とする、請求項１に記載のアクチュエータ固定機構。
【請求項４】
前記規制部材は、前記第１の位置で前記アクチュエータの被係合部と係合する前記アーム部を固定し、前記ヘッドによる前記記録媒体のデータの記録再生時に前記アーム部の固定を解除することを特徴とする、請求項１〜３のいずれか１項に記載のアクチュエータ固定機構。
【請求項５】
データを記憶するディスク状の記録媒体と、
前記記録媒体を回転させる回転駆動部と、
前記回転駆動部を支持するベースと、
前記記録媒体にデータを記録再生するヘッドを前記記録媒体に対して回転移動させるアクチュエータと、
前記アクチュエータを固定するアクチュエータ固定機構と、
を備え、
前記アクチュエータ固定機構は、
前記アクチュエータの被係合部と係合部を係合させて前記アクチュエータを前記退避位置に固定する第１の位置と、前記アクチュエータの前記退避位置から前記記録媒体上への移動を可能にする第２の位置との間を、シャフト部を回転中心として回動自在に設けられるアーム部と、
前記アクチュエータの作動状態に応じて、前記アーム部の回動を規制する規制部材と、
を備え、
前記シャフト部は、
前記アクチュエータ固定機構が設けられるベースと対向する一面に、当該一面側が開口し、前記ベースから突出して前記アーム部の回転中心軸となるベースピンが挿入されるピン挿入孔を有し、
前記ベースと対向する一面と反対側の面に、前記ベースと反対側に向かって突出する突起部を有しており、
前記ベースピンと前記ピン挿入孔内部の孔止め部とは１つの当接部で当接し、
前記当接部および前記突起部の頂点は、前記アーム部の回転中心軸線上に位置し、
前記ベースと前記シャフト部とは、前記アーム部の回転軸方向に所定の間隔を有して設けられることを特徴とする、ディスク装置。
【請求項６】
前記ベースピンと当接する前記ピン挿入孔内部の孔止め部は、前記ピン挿入孔の開口側に向かって突出して形成され、
前記孔止め部の頂点および前記突起部の頂点は、前記アーム部の回転中心軸線上に位置することを特徴とする、請求項５に記載のディスク装置。
【請求項７】
前記ピン挿入孔内部の孔止め部と当接する前記ベースピンの先端面は、前記孔止め部に向かって突出する形状に形成され、
前記ベースピンの先端面の頂点および前記突起部の頂点は、前記アーム部の回転中心軸線上に位置することを特徴とする、請求項５に記載のディスク装置。
【請求項８】
前記ベースと前記ベースピンとは、異なる材質で形成されることを特徴とする、請求項５〜７のいずれか１項に記載のディスク装置。
【発明の詳細な説明】
【技術分野】
【０００１】
本発明は、アクチュエータの動きを規制するアクチュエータ固定機構およびこれを備えるディスク装置に関する。
【背景技術】
【０００２】
例えばハードディスクドライブ（Ｈａｒｄ  Ｄｉｓｋ  Ｄｒｉｖｅ；以下、「ＨＤＤ」とする。）等のディスク装置は、情報を記録する記録媒体であるディスクをスピンドルモータにより回転させた状態で、ヘッドにより情報の記録再生を行う。ＨＤＤは、例えばノートパソコンやＭＰ３プレーヤー、自動車等に搭載されており、その用途は多様にある。
【０００３】
ディスク装置は、一端にヘッドが設けられたサスペンションをスピンドルモータにより回転させて、ヘッドをディスクの上方の所定領域とそれ以外の領域とに移動させる。ディスク装置は、ディスクに情報を記録したりディスクに記憶されている情報を読み出したりするときには、ヘッドをディスクの上方に移動させる。ヘッドは、高速に回転するディスク表面上の気流によって浮上し、ディスク表面との間に僅かな隙間を保ちながらディスクに記録された情報を取得する。
【０００４】
一方、ヘッドがディスク上にあるとき、ヘッドとディスク表面とは高度に平滑性が維持されているため、一端接触すると強固に吸着し、ディスクが回転できなくなってしまう。ディスク装置を停止させるとき、ディスク装置は、ヘッドをディスクの外にあるランプへ移動させる。このとき、ランプに退避されたヘッドがディスク上に移動しないように、ディスク装置には、ヘッドがランプに退避された状態でアクチュエータを保持するアクチュエータ固定機構として、ラッチ機構が設けられている。
【０００５】
ラッチ機構は、一般的に、マグネットの吸引力を利用したマグネットラッチ機構や、ラッチ機構のアームの慣性力を利用した機械的なリンク機構で構成されるイナーシャラッチ機構等がある。例えば、図８〜図１１に示すように、従来のラッチ機構３０は、アクチュエータ４０の動きを規制するラッチ３１と、当該ラッチ３１の動きを規制する例えばマグネット（図示せず。）とからなる。
【０００６】
ラッチ３１は、ベース１０とヨーク２０との間に、アクチュエータ４０のＶＣＭコイル４５と隣接して設けられる。ラッチ３１は、回転軸周りに回転可能に設けられ、その回転は、ラッチ３１に設けられた例えば金属ピン３７によって規制される。すなわち、ラッチ３１に配置された金属ピン３７がマグネットに磁気的に吸引されることで、ヘッドをディスク上に移動させる方向に回動しようとするアクチュエータ４０をラッチ３１で固定しにいくことができる。
【０００７】
従来のラッチ３１は、図９〜図１１に示すように、ベース１０から垂直方向に延びるベースピン（図１３の符号１２参照。）が挿入されラッチ３１の回転中心部となるシャフト部３３に対して、アクチュエータ４０の被係合部と係合する係合部３２ｃが設けられる前アーム部３２ａと、後アーム部３２ｂとからなる。シャフト部３３には、ベース１０のベースピンが挿入される貫通孔３４が形成されている。また、シャフト部３３の上面および下面には、突起部３５ａ〜３５ｄ、３６ａ〜３６ｄがそれぞれ等間隔に配置されている。従来のラッチ３１の構成を図１２に簡略化して示すと、回転軸に対して直交する方向に前アーム部３２ａと後アーム部３２ｂとがシャフト部３３から突き出た構成となっている。シャフト部３３の上面および下面には、半球形状の突起部３５ａ〜３５ｄ、３６ａ〜３６ｄが設けられている。
【０００８】
通常、ベース１０とヨーク２０との間隔は、ラッチ３１が動くことができる程度の大きさに設定されている。このため、ディスク装置（例えばＨＤＤ）を表向きに置いたとき、すなわちベース１０がＨＤＤの載置面側に位置するときには、図１３に示すように、ラッチ３１の突起部３６ａ〜３６ｄがベース１０上に接触した状態となる。一方、ＨＤＤを裏向きに置いたとき、すなわちヨーク２０がＨＤＤの載置面側に位置するときには、図１４に示すように、ラッチ３１の突起部３５ａ〜３５ｄがヨーク２０上に接触した状態となる。突起部３５ａ〜３５ｄ、３６ａ〜３６ｄは、例えば特許文献１に記載のように、ベース１０やヨーク２０と点接触させるためにこのような形状となっており、これにより、ラッチ３１と、ベース１０およびヨーク２０との摺動摩擦を軽減することができる。
【０００９】
また、従来のラッチ４１とベース１０との接触部の形状として、例えば図１５に示すように、ラッチ４１のシャフト部のベース１０と対向する面に半ドーナツ形状の突起部４６を設けて、ラッチ４１とベース１０とを線接触させることも提案されている。このように、ラッチに、複数の突起部や半ドーナツ形状の突起部を設けることで、ラッチをベースに安定して載置させることができる。
【先行技術文献】
【特許文献】
【００１０】
【特許文献１】特開２００３−１５１２２５号公報
【発明の概要】
【発明が解決しようとする課題】
【００１１】
しかし、従来のラッチ機構３０において、ラッチ３１の動きがスムーズでないという問題があった。この原因としては、ラッチ３１のシャフト部３３に設けられた突起部３５ａ〜３５ｄ、３６ａ〜３６ｄの位置とラッチ３１の回転中心となる回転軸（ベースピン１２）の位置とが一致しておらず、シャフト部３３の貫通孔３４と当該貫通孔３４に挿入されるベースピン１２との間に存在する僅かな隙間によって揺動してしまうことが考えられる。また、突起部３５ａ〜３５ｄ、３６ａ〜３６ｄの高さが不均一であり、ベース１０やヨーク２０との多点接触によりラッチ回転時の摩擦抵抗が大きくなることも原因の１つと考えられる。図１５のように、半ドーナツ形状の突起部４６を設けた場合も同様に、ベース１０との線接触によりラッチ回転時の摩擦抵抗が大きくなってしまう。
【００１２】
また、ＨＤＤが裏向きに置かれているときには、図１４に示すように、ラッチ３１はヨーク２０と接触する。このとき、ヨーク２０の接触面の平坦度や粗さがベース１０の接触面よりも大きいため、ＨＤＤが表向きに置かれている場合と裏向きに置かれている場合とでは、ラッチ３１の動きに違いが生じてくる。
【００１３】
一方、ベース１０とヨーク２０との間には、ラッチ３１がその間で回転軸方向（上下方向）に動くことの可能な隙間がある。このため、ＨＤＤに振動や衝撃が与えられると、ラッチ３１が上下方向に動き、ベース１０またはヨーク２０に衝撃を与えてしまう。この衝撃により発生する振動がベース１０やヨーク２０と接続されている他の部品に伝達されると、ＨＤＤの性能に影響を与えてしまうという問題もある。ラッチ３１とヨーク２０との衝撃では、振動は直接ベース１０に伝達されないため、この衝撃によるＨＤＤの性能への影響は大きくないと考える。しかし、ラッチ３１とベース１０との衝撃により発生する振動は、ベース１０と接続されている他の部品に伝達されてしまい、ＨＤＤの性能に影響を与えてしまうことが懸念される。
【００１４】
そこで、本発明は、上記問題に鑑みてなされたものであり、本発明の目的とするところは、ラッチ機構により発生する振動や衝撃を抑制することが可能な、新規かつ改良されたアクチュエータ固定機構およびディスク装置を提供することにある。
【課題を解決するための手段】
【００１５】
上記課題を解決するために、本発明のある観点によれば、ディスク状の記録媒体にデータを記録再生するヘッドを記録媒体に対して回転移動させるアクチュエータを、非動作時に退避位置で固定するアクチュエータ固定機構が提供される。アクチュエータ固定機構は、アクチュエータの被係合部と係合部を係合させてアクチュエータを退避位置に固定する第１の位置と、アクチュエータの退避位置から記録媒体上への移動を可能にする第２の位置との間を、シャフト部を回転中心として回動自在に設けられるアーム部と、アクチュエータの作動状態に応じて、アーム部の回動を規制する規制部材と、を備え、シャフト部は、アクチュエータ固定機構が設けられるベースと対向する一面に、当該一面側が開口し、ベースから突出してアーム部の回転中心軸となるベースピンが挿入されるピン挿入孔を有し、ベースと対向する一面と反対側の面に、ベースと反対側に向かって突出する突起部を有しており、ベースピンとピン挿入孔内部の孔止め部とは１つの当接部で当接し、当接部および突起部の頂点は、アーム部の回転中心軸線上に位置し、ベースとシャフト部とは、アーム部の回転軸方向に所定の間隔を有して設けられることを特徴とする。
【００１６】
本発明によれば、アクチュエータ固定機構のピン挿入孔の孔止め部とベースピンとを１つの当接部で当接させるとともに、シャフト部のベースと反対側の面に、ベースと反対側に向かって突出する突起部と設ける。そして、当接部と突起部の頂点をアーム部の回転中心軸線上に設けることにより、アーム部をスムーズに回転させることができる。また、アーム部とベースとが直接接触しないため、アーム部の動きにより生じた振動や衝撃がベースに伝達されるのを低減することができ、ディスク装置へ及ぼす影響を低減することができる。
【００１７】
ベースピンと当接するピン挿入孔内部の孔止め部は、ピン挿入孔の開口側に向かって突出して形成し、孔止め部の頂点および突起部の頂点は、アーム部の回転中心軸線上に位置するようにしてもよい。
【００１８】
または、ピン挿入孔内部の孔止め部と当接するベースピンの先端面は、孔止め部に向かって突出する形状に形成し、ベースピンの先端面の頂点および突起部の頂点は、アーム部の回転中心軸線上に位置するようにしてもよい。
【００１９】
規制部材は、第１の位置でアクチュエータの被係合部と係合するアーム部を固定し、ヘッドによる記録媒体のデータの記録再生時にアーム部の固定を解除するように構成してもよい。
【００２０】
また、上記課題を解決するために、本発明の別の観点によれば、データを記憶するディスク状の記録媒体と、記録媒体を回転させる回転駆動部と、回転駆動部を支持するベースと、記録媒体にデータを記録再生するヘッドを記録媒体に対して回転移動させるアクチュエータと、アクチュエータを固定するアクチュエータ固定機構と、を備え、アクチュエータ固定機構は、アクチュエータの被係合部と係合部を係合させてアクチュエータを退避位置に固定する第１の位置と、アクチュエータの退避位置から記録媒体上への移動を可能にする第２の位置との間を、シャフト部を回転中心として回動自在に設けられるアーム部と、アクチュエータの作動状態に応じて、アーム部の回動を規制する規制部材と、を備え、シャフト部は、アクチュエータ固定機構が設けられるベースと対向する一面に、当該一面側が開口し、ベースから突出してアーム部の回転中心軸となるベースピンが挿入されるピン挿入孔を有し、ベースと対向する一面と反対側の面に、ベースと反対側に向かって突出する突起部を有しており、ベースピンとピン挿入孔内部の孔止め部とは１つの当接部で当接し、当接部および突起部の頂点は、アーム部の回転中心軸線上に位置し、ベースとシャフト部とは、アーム部の回転軸方向に所定の間隔を有して設けられることを特徴とする。
【００２１】
ベースピンと当接するピン挿入孔内部の孔止め部は、ピン挿入孔の開口側に向かって突出して形成し、孔止め部の頂点および突起部の頂点は、アーム部の回転中心軸線上に位置するようにしてもよい。
【００２２】
または、ピン挿入孔内部の孔止め部と当接するベースピンの先端面は、孔止め部に向かって突出する形状に形成し、ベースピンの先端面の頂点および突起部の頂点は、アーム部の回転中心軸線上に位置するようにしてもよい。
【００２３】
ベースとベースピンとは、異なる材質で形成してもよい。
【発明の効果】
【００２４】
以上説明したように本発明によれば、ラッチ機構により発生する振動や衝撃を抑制することが可能なアクチュエータ固定機構およびディスク装置を提供することができる。
【図面の簡単な説明】
【００２５】
【図１】本発明の第１の実施形態に係るＨＤＤの概略構成を示す平面図である。
【図２】同実施形態に係るラッチを示す平面図である。
【図３】同実施形態に係るラッチを示す底面図である。
【図４】同実施形態に係るラッチを示す側面図である。
【図５】同実施形態に係るＨＤＤを表向きに置いたときの、ラッチと、ベースおよびヨークとの位置関係を示す説明図である。
【図６】同実施形態に係るＨＤＤを裏向きに置いたときの、ラッチと、ベースおよびヨークとの位置関係を示す説明図である。
【図７】本発明の第２の実施形態に係るＨＤＤを表向きに置いたときの、ラッチと、ベースおよびヨークとの位置関係を示す説明図である。
【図８】ディスク装置におけるラッチ機構、ベース、ヨークおよびＶＣＭコイルの配置構成を示す部分斜視図である。
【図９】従来のラッチを示す平面図である。
【図１０】従来のラッチを示す底面図である。
【図１１】従来のラッチを示す側面図である。
【図１２】従来のラッチを示す概略図である。
【図１３】ＨＤＤを表向きに置いたときの、ラッチと、ベースおよびヨークとの位置関係を示す説明図である。
【図１４】ＨＤＤを裏向きに置いたときの、ラッチと、ベースおよびヨークとの位置関係を示す説明図である。
【図１５】従来の他のラッチの構成を示す斜視図である。
【発明を実施するための形態】
【００２６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２７】
＜１．第１の実施形態＞
まず、図１〜図６に基づいて、本発明の第１の実施形態に係るＨＤＤの概略構成について説明する。なお、図１は、本実施形態に係るＨＤＤ１００の概略構成を示す平面図である。図２は、本実施形態に係るラッチ１４１を示す平面図である。図３は、本実施形態に係るラッチ１４１を示す底面図である。図４は、本実施形態に係るラッチ１４１を示す側面図である。図５は、ＨＤＤ１００を表向きに置いたときの、ラッチ１４１と、ベース１１０およびヨーク１５０との位置関係を示す説明図である。図６は、ＨＤＤ１００を裏向きに置いたときの、ラッチ１４１と、ベース１１０およびヨーク１５０との位置関係を示す説明図である。
【００２８】
本実施形態にかかるディスク装置は、例えばＨＤＤ１００であって、図１に示すように、データ記録媒体であるディスク１０５と、ベース１１０と、ディスク１０５を保持して回転させるスピンドルモータ１２０と、ディスク１０５にデータを記録および／または再生するヘッド１３５を回転移動させるアクチュエータ１３０と、ラッチ機構１４０とを備える。
【００２９】
ベース１１０は、スピンドルモータ１２０を支持する他に、例えば、後述するアクチュエータ１３０や、アクチュエータ１３０の稼動範囲を制限してヘッド１３５と他部材との接触を防止する衝撃緩衝機構であるストッパなど複数の機構部品が組み付けられる。また、ＨＤＤ１００が動作していないときにアクチュエータ１３０の動きを規制するラッチ機構１４０のラッチ１４１がベース１１０に対して回動可能に設けられる。ラッチ１４１は、ベース１１０から垂直に突出して設けられたベースピン（図５の符号１１２）に装着され、ベースピンを回転中心として回動する。
【００３０】
スピンドルモータ１２０は、ディスク１０５を回転させる回転駆動部である。スピンドルモータ１２０は、スピンドルモータ１２０の回転中心である回転軸と、回転軸の周囲に設けられた軸受と、軸受を介してディスク１０５を保持するハブと、ハブの外周部に設けられたマグネットロータと、複数のステータコイル列からなるステータ部と、から構成される。スピンドルモータ１２０は、ステータコイルに電流が流れることにより発生する磁場とマグネットロータとの引き合い動作を繰り返すことによって回転する。
【００３１】
アクチュエータ１３０には、ディスク１０５にデータを記録および／または再生するヘッド１３５が設けられ、回転軸（ピボット）１３３を介して回転自在な状態でベース１１０に取り付けられる。かかるアクチュエータ１３０は、例えば、１つのディスク１０５に対して一対のＨＧＡ（Ｈｅａｄ  Ｇｉｍｂａｌ  Ａｓｓｅｍｂｌｙ）１３７を備えている。一対のＨＧＡ１３７は、所定の隙間を有して積層されており、この隙間にディスク１０５を挟むように配設されている。ディスク１０５にデータを記録および／または再生する場合、かかるアクチュエータ１３０を回転させて、ヘッド１３５をディスク１０５の所定の位置に移動させる。なお、アクチュエータ１３０は、ボイスコイルモータ（ＶＣＭ；Ｖｏｉｃｅ  Ｃｏｉｌ  Ｍｏｔｏｒ）で回転駆動する。
【００３２】
ラッチ機構１４０は、ＨＤＤ１００が動作していないときにアクチュエータ１３０を固定するためのアクチュエータ固定機構である。ラッチ機構１４０は、アクチュエータ１３０の動きを規制するラッチ１４１と、当該ラッチ１４１の動きを規制する規制部材であるマグネット（図示せず。）とからなる。
【００３３】
ラッチ１４１は、図２〜図４に示すように、ベース１１０から垂直に突出するベースピン（図５の符号１１２）が挿入され、回転中心部となるシャフト部１４３に、前アーム部１４２ａと後アーム部１４２ｂとからなるアーム部を備える構成となっている。前アーム部１４２ａは、ＨＤＤ１００が動作していないときにヘッド１３５がディスク上に移動させる方向に回動しようとするアクチュエータ１３０の動きを妨げるために、アクチュエータ１３０に設けられた被係合部（図示せず。）と係合してアクチュエータ１３０の動きを規制する係合部１４２ｃを下面側に有する。後アーム部１４２ｂは、ラッチ１４１の回転を規制する規制部材として金属ピン１４９が設けられている。ラッチ１４１は、後アーム部１４２ｂに設けられた金属ピン１４９とベース１１０に設けられているマグネットとの間に働く吸引力を利用して、ベース１１０のベースピンに挿通されたシャフト部１４３を回転中心部として回動し、ＨＤＤ１００が動作していないときにヘッド１３５がディスク上に移動させる方向に回動しようとするアクチュエータ１３０をつかみにいくことができる。
【００３４】
ここで、ラッチ回転時の抵抗を軽減し、ラッチ１４１をスムーズに回転させるため、ラッチ１４１とベース１１０との接触部およびラッチ１４１とヨーク１５０との接触部をそれぞれ１箇所のみ、回転中心軸線上に位置するようにラッチ機構１４０は構成されている。すなわち、まず、ラッチ１４１とベース１１０との接触部は、図５に示すように、シャフト部１４３のピン挿入孔１４３ｂの孔止め部１４３ｃと、ベース１１０から垂直に延びるベースピン１１２の先端面１１２ａとが当接する位置となる。ピン挿入孔１４３ｂの孔止め部１４３ｃは、当該ピン挿入孔１４３ｂの開口側に向かって突出する略半球形状に形成されており、その頂点は、ラッチ１４１の回転中心軸線上に位置する。
【００３５】
ＨＤＤ１００が表向きに置かれたとき、ラッチ１４１は、図５に示すように、ベースピン１１２の先端面１１２ａにピン挿入孔１４３ｂの孔止め部１４３ｃが載置された状態となる。ピン挿入孔１４３ｂの孔止め部１４３ｃは略半球形状となっていることから、ラッチ１４１は、ピン挿入孔１４３ｂの孔止め部１４３ｃでベースピン１１２の先端面１１２ａに点接触して、ベース１１０に支持される。このように、接触面積が低減されるので、ラッチ回転時の抵抗を軽減することができる。また、ラッチ１４１とベース１１０との点接触する位置がラッチ１４１の回転中心軸線上にあるので、ラッチ１４１の回転をスムーズにすることができる。
【００３６】
一方、ＨＤＤ１００が裏向きに置かれた場合、ラッチ１４１はヨーク１５０上に載置される。このとき、ラッチ１４１とヨーク１５０との接触部は、図６に示すように、シャフト部１４３の上面にある略半球形状の突起部１４３ａと、ヨーク１５０とが接触する位置となる。このとき、突起部１４３ａの頂点は、ラッチ１４１の回転中心軸線上に位置する。したがって、ラッチ１４１は、回転中心軸線上にある突起部１４３ａとヨーク１５０との接触点において回転することになり、ラッチ回転時の抵抗を軽減し、ラッチ１４１の回転をスムーズにすることができる。
【００３７】
すなわち、ラッチ１４１は、ＨＤＤ１００が表向きに置かれたときには、ベース１１０から垂直に設けられたベースピン１１２に吊り下げられた状態となり、ベース１１０と直接の接触はなくなる。ラッチ１４１とベース１１０とが直接接触しないことにより、ラッチ１４１の動きによって発生する振動を低減することができる。
【００３８】
また、ラッチ１４１のシャフト部１４３の上面に形成された突起部１４３ａおよびピン挿入孔１４３ｂの孔止め部１４３ｃの形状を略半球形状とすることで、ＨＤＤ１００が表向きに置かれた場合であっても裏向きに置かれた場合であっても、回転中心軸線上にある１点でラッチ１４１とベース１１０またはヨーク１５０とが接触した状態でラッチ１４１が回転することになる。したがって、ＨＤＤ１００の設置状態によらず、ラッチ機構１４０の性能を同等に維持することができる。
【００３９】
なお、ラッチ１４１の動きにより生ずる振動や衝撃の、ベース１１０への伝達を緩和するため、ベース１１０とベースピン１１２とを異なる材質の部材から形成するようにしてもよい。異なる材質間においては、同一の材質間よりも振動や衝撃が伝達され難くなる。例えば、ベース１１０をアルミニウムで形成し、ベースピン１１２をステンレス鋼で形成してもよい。また、ベースピン１１２を、金属よりも振動や衝撃を伝達し難い硬質のプラスチックで形成してもよい。
【００４０】
このような構成要素から構成されるＨＤＤ１００は、ディスク１０５をスピンドルモータ１２０により、例えば反時計回りに回転し、データの記録・再生を行う際には、アクチュエータ１３０が駆動されてディスク１０５の所定の位置にヘッド１３５が位置するように移動される。一方、データの記録・再生を行わないとき、すなわちＨＤＤ１００を停止させるときは、アクチュエータ１３０を駆動させて、ヘッド１３５をディスク１０５上から退避位置へ退避させる。ヘッド１３５がディスク１０５上から退避された状態では、ヘッド１３５がディスク１０５上へ移動しないように、ラッチ機構１４０によりアクチュエータ１３０の動きが規制される。
【００４１】
以上、本実施形態にかかるＨＤＤ１００の構成について説明した。本実施形態に係るＨＤＤ１００は、ラッチ機構１４０のラッチ１４１のシャフト部１４３の上面とピン挿入孔１４３ｂの孔止め部１４３ｃを、頂点が回転中心軸線上に位置する略半球形状に形成する。これにより、ＨＤＤ１００の設置状態によらず、ラッチ１４１はベース１１０またはヨーク１５０に１点で接触し回転するので、回転抵抗を低くすることができ、ラッチ性能を向上させることができる。
【００４２】
また、ラッチ１４１とベースピン１１２あるいはヨーク１５０との接触部を回転中心軸線上に位置させることにより、スムーズな回転を実現することができる。さらに、ラッチ１４１とベース１１０とが直接接触することがないので、ラッチ１４１の動きにより生じた振動や衝撃がベース１１０に伝達されるのを低減することができ、ＨＤＤ１００へ及ぼす影響を低減することができる。
【００４３】
＜２．第２の実施形態＞
本発明の第１の実施形態では、ラッチ１４１のシャフト部１４３の上面に略半球形状の突起部１４３ａを設け、さらにピン挿入孔１４３ｂの孔止め部１４３ｃの形状を略半球形状とした。しかし、本発明はかかる例に限定されず、例えば、図７に示すように、ベースピン１１２の形状を略半球形状とすることで、ベースピン１１２とラッチ１４１のシャフト部１４３とを１点で接触させることもできる。図７は、本発明の第２の実施形態に係るＨＤＤ１００を表向きに置いたときの、ラッチ１４１と、ベース１１０およびヨーク１５０との位置関係を示す説明図である。
【００４４】
本実施形態に係るＨＤＤ１００のラッチ機構１４０は、第１の実施形態と同様、ベース１１０に垂直に設けられたベースピン１１２に挿入されたラッチ１４１を、マグネット１４９との間に働く磁性力によって回動させ、ＨＤＤ１００の非作動時に、アクチュエータ１３０が回動しないようにその動きを規制する。ラッチ１４１は、シャフト部１４３に前アーム部１４２ａおよび後アーム部１４２ｂからなるアーム部が設けられている。シャフト部１４３には、ヨーク１５０と対向する上面に略半球形状の突起部１４３ａが形成されており、ベース１１０と対向する下面側にはベースピン１１２が挿入されるピン挿入孔１４３ｂが形成されている。本実施形態のピン挿入孔１４３ｂの孔止め部１４３ｃは平坦に形成されている。
【００４５】
ここで、ベースピン１１２の先端面１１２ａを略半球形状に形成することにより、ピン挿入孔１４３ｂの孔止め部１４３ｃと、シャフト部１４３のピン挿入孔１４３ｂに挿入されるベースピン１１２の先端面１１２ａとの当接部を、１点接触とすることができる。ベースピン１１２の先端面１１２ａの形状は、例えば、先端面１１２ａに対して面取り処理を施すことにより形成することができる。
【００４６】
ＨＤＤ１００が表向きに置かれると、図７に示すように、ベースピン１１２にラッチ１４１のシャフト部１４３が吊り下げられた状態となる。これにより、ラッチ１４１とベース１１０とが直接接触しないようになり、ラッチ１４１で生ずる振動等がベース１１０に直接伝達しないようになる。そして、ベースピン１１２の形状が略半球形状であることにより、ペースピン１１２の先端面１１２ａとラッチ１４１のピン挿入孔１４３ｂの孔止め部１４３ｃとは１点で点接触した状態で、ラッチ１４１を回転させることができる。これにより、ラッチ１４１の回転抵抗を低減することができる。さらに、ベースピン１１２の先端面１１２ａとピン挿入孔１４３ｂの孔止め部１４３ｃとの当接部をラッチ１４１の回転中心軸線上に設けることにより、スムーズにラッチ１４１を回転させることができる。
【００４７】
以上、第２の実施形態に係るラッチ機構１４０を備えるＨＤＤ１００の構成について説明した。本実施形態に係るＨＤＤ１００は、ラッチ機構１４０のラッチ１４１のシャフト部１４３の上面とベースピン１１２の先端面１１２ａを、頂点が回転中心軸線上に位置する略半球形状に形成する。これにより、ＨＤＤ１００の設置状態によらず、ラッチ１４１はベース１１０またはヨーク１５０に１点で接触し回転するので、回転抵抗を低くすることができ、ラッチ性能を向上させることができる。
【００４８】
また、ラッチ１４１とベースピン１１２あるいはヨーク１５０との接触部を回転中心軸線上に位置させることにより、スムーズな回転を実現することができる。さらに、ラッチ１４１とベース１１０とが直接接触することがないので、ラッチ１４１の動きにより生じた振動や衝撃がベース１１０に伝達されるのを低減することができ、ＨＤＤ１００へ及ぼす影響を低減することができる。
【００４９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５０】
例えば、上記実施形態では、ベースピン１１２の先端面１１２ａとラッチ１４１のピン挿入孔１４３ｂの孔止め部１４３ｃとの接触部や、ヨーク１５０とラッチ１４１のシャフト部１４３の上面の突起部１４３ａとの接触部は、点接触であるとして説明したが、本発明はかかる例に限定されない。例えば、線接触や面接触であってもよく、接触部が小さいほどよい。この場合、接触部の中心がラッチ１４１の回転中心軸線上に位置するように部品を配置するのがよい。
【００５１】
また、上記実施形態では、ラッチのシャフト部の上面の突起部や、ピン挿入孔の孔止め部、ベースピンの先端面の形状は略半球形状に形成されたが、本発明はかかる例に限定されない。例えば、これらの形状は、Ｒ形状であってもよく、特にベースやヨーク等の接触面との接触面積を低減できる形状にすることが望ましい。
【００５２】
さらに、上記実施形態では、ラッチ１４１の後アーム部１４２には、マグネットと作用してラッチ１４１を回動させる金属ピン１４９が設けられていたが、本発明はかかる例に限定されない。例えば、金属ピン１４９の代わりに、金属ボールや金属片等、マグネットの磁性力によってマグネットに引き寄せられる金属部材を設けてもよい。
【符号の説明】
【００５３】
１００    ＨＤＤ
１０５    ディスク
１１０    ベース
１１２    ベースピン
１１２ａ  先端面
１２０    スピンドルモータ
１３０    アクチュエータ
１４０    ラッチ機構
１４１    ラッチ
１４２ａ  前アーム部
１４２ｂ  後アーム部
１４３    シャフト部
１４３ａ  突起部
１４３ｂ  ピン挿入孔
１４３ｃ  孔止め部
【図１】
2012104193.tif 000003
【図２】
2012104193.tif 000004
【図３】
2012104193.tif 000005
【図４】
2012104193.tif 000006
【図５】
2012104193.tif 000007
【図６】
2012104193.tif 000008
【図７】
2012104193.tif 000009
【図８】
2012104193.tif 000010
【図９】
2012104193.tif 000011
【図１０】
2012104193.tif 000012
【図１１】
2012104193.tif 000013
【図１２】
2012104193.tif 000014
【図１３】
2012104193.tif 000015
【図１４】
2012104193.tif 000016
【図１５】
2012104193.tif 000017